(57)【要約】【課題】施工面に沿った幅寸法を増大させることなく、取り付けることのできる内器の個数を増やすことができるマルチメディアポートを提供する。【解決手段】それぞれ内器２ａ，２ｂを取り付けるための複数の内器取付部としての鉤状片１４及び取付ねじ穴１５が前面に設けられ施工面に取り付けられるボディ１を備える。ボディ１の前側には内器取付部材３が取り付けられ、前方から見てボディ１に取り付けられた内器２ａ，２ｂと重なる位置に内器２ｃを取付可能となっている。内器２ａ〜２ｃを施工面に交差する方向に並べて取り付けることができるから、施工面に沿った幅寸法を増大させることなく、取り付けることのできる内器２ａ〜２ｃの個数を増やすことができる。【選択図】        図１
2004327860.tif 000002
【特許請求の範囲】
【請求項１】
映像用機器又は通信用機器からなる１乃至複数の内器と、それぞれ内器を取り付けるための複数の内器取付部が前面に設けられ施工面に取り付けられるボディと、ボディの前方に位置し前方から見て内器取付部に取り付けられた内器と重なる位置に内器を取付可能な内器取付部材とを備えることを特徴とするマルチメディアポート。
【請求項２】
ボディと内器取付部材とをそれぞれ前面が開放された箱状に形成し、内器取付部材の後端部をボディの前端部に嵌合する形状とするとともに、内器取付部材の前端部を同じ形状の別の内器取付部材の後端部に嵌合する形状に形成したことを特徴とする請求項１記載のマルチメディアポート。
【請求項３】
内器取付部材はボディの前面を覆う形でボディに着脱自在に取り付けられ、内器取付部材のボディの前面に対向する面に内器が取り付けられることを特徴とする請求項１記載のマルチメディアポート。
【請求項４】
内器取付部材はボディの前面を覆う形でボディに着脱自在に取り付けられ、内器取付部材のボディの前面に対向する面の反対面に内器が取り付けられることを特徴とする請求項１記載のマルチメディアポート。
【請求項５】
ボディを前面が開放された箱状に形成し、ボディの前端部に内器取付部材をねじ止めするためのねじ止め部を内器取付部材に設けたことを特徴とする請求項１又は請求項３又は請求項４のいずれかに記載のマルチメディアポート。
【請求項６】
内器取付部材をボディの内器取付部に取り付けるための取付部を内器取付部材に設けたことを特徴とする請求項１記載のマルチメディアポート。
【請求項７】
取付部はボディの内器取付部に対して内器と同時に取り付け可能としてあることを特徴とする請求項６記載のマルチメディアポート。
【請求項８】
内器取付部材に、ボディの内器取付部に取り付けられた内器を前方に露出させる露出穴を貫設したことを特徴とする請求項１又は請求項２又は請求項５乃至請求項７のいずれかに記載のマルチメディアポート。
【請求項９】
内器取付部材が磁性体からなることを特徴とする請求項１乃至請求項８のいずれかに記載のマルチメディアポート。
【請求項１０】
内器取付部材をボディにねじ止めするためのねじが挿通される貫通穴を、ねじの頭部の外径よりも内径の大きな挿通部と、挿通部に連通してねじの頭部の外径よりも小さくねじの脚部の外径よりも大きい幅寸法に形成された保持部とからなるダルマ穴形状としたことを特徴とする請求項１又は請求項３乃至請求項９のいずれかに記載のマルチメディアポート。
【請求項１１】
ボディの前方へ突出して内器が載置可能な板状の棚部をボディに設けたことを特徴とする請求項１乃至請求項１０のいずれかに記載のマルチメディアポート。
【請求項１２】
棚部を内器が載置可能な開位置とボディの前方への突出寸法を開位置よりも小さくする閉位置との間で移動自在としたことを特徴とする請求項１１記載のマルチメディアポート。
【請求項１３】
ボディに結合して内器が収納される収納室をボディとの間に形成するカバーを備え、収納室内と外部とを連通させる通気穴をカバーとボディとの少なくとも一方に貫設したことを特徴とする請求項１乃至請求項１２のいずれかに記載のマルチメディアポート。
【発明の詳細な説明】
【０００１】
【発明の属する技術分野】
本発明は、映像用機器又は通信用機器からなる１乃至複数の内器を備え、施工面に取り付けられるマルチメディアポートに関するものである。
【０００２】
【従来の技術】
従来から、図１３に示すように施工面に取り付けられ映像用機器又は通信用機器からなる内器２ａ〜２ｄが取り付けられるボディ１を備えたマルチメディアポートが提供されている（例えば、特許文献１参照）。ここで、映像用機器とは例えばＢＳ・Ｕ／ＶブースタやデジタルＣＳ衛星信号切換器であり、通信用機器とは例えばＤＳＵやモジュラジャック中継端子台である。
【０００３】
内器２ａ，２ｂ，２ｄの器体は、上下の幅寸法を略一定とし、左右の幅寸法を所定の単位寸法の整数倍とすることによって寸法のモジュール化が図られていて、ボディ１には寸法がモジュール化された内器２ａ，２ｂ，２ｄを取付可能な図示しない内器取付部が左右に並べて設けられている。寸法がモジュール化されていない内器２ｃを取り付ける際は、内器２ｃが取り付けられるとともにボディ１の内器取付部に取り付けられるアタッチメントＡを用いる。
【０００４】
【特許文献１】
特開２０００−１３３９６０号公報（第３−６頁、第４図）
【０００５】
【発明が解決しようとする課題】
従来のマルチメディアポートでは、内器２ａ〜２ｄを図１３の左右に並べてボディ１に取り付けていた。従って、ボディ１の左右の幅寸法は内器２ａ〜２ｄの個数に応じた寸法とする必要があり、取り付けられる内器２ａ〜２ｄの個数が多いものほどボディ１の左右の幅寸法が大きくなっていた。
【０００６】
本発明は上記事由に鑑みてなされたものであり、その目的は、施工面に沿った幅寸法を増大させることなく、取り付けることのできる内器の個数を増やすことができるマルチメディアポートを提供することにある。
【０００７】
【課題を解決するための手段】
請求項１の発明は、映像用機器又は通信用機器からなる１乃至複数の内器と、それぞれ内器を取り付けるための複数の内器取付部が前面に設けられ施工面に取り付けられるボディと、ボディの前方に位置し前方から見て内器取付部に取り付けられた内器と重なる位置に内器を取付可能な内器取付部材とを備えることを特徴とする。
【０００８】
この発明によれば、施工面に沿った幅寸法を増大させることなく、取り付けることのできる内器の個数を増やすことができる。また、内器取付部材を適宜選択することによって、ボディの内器取付部が対応していない形状の内器を取り付けることができる。
【０００９】
請求項２の発明は、請求項１の発明において、ボディと内器取付部材とをそれぞれ前面が開放された箱状に形成し、内器取付部材の後端部をボディの前端部に嵌合する形状とするとともに、内器取付部材の前端部を同じ形状の別の内器取付部材の後端部に嵌合する形状に形成したことを特徴とする。
【００１０】
この発明によれば、内器取付部材を追加することによって容易に内器の個数を増やすことができる。
【００１１】
請求項３の発明は、請求項１の発明において、内器取付部材はボディの前面を覆う形でボディに着脱自在に取り付けられ、内器取付部材のボディの前面に対向する面に内器が取り付けられることを特徴とする。
【００１２】
この発明によれば、内器取付部材に外装の機能を持たせることができ、且つ内器取付部材を取り外すだけでボディに取り付けた内器を操作することができる。
【００１３】
請求項４の発明は、請求項１の発明において、内器取付部材はボディの前面を覆う形でボディに着脱自在に取り付けられ、内器取付部材のボディの前面に対向する面の反対面に内器が取り付けられることを特徴とする。
【００１４】
この発明によれば、内器取付部材に外装の機能を持たせることができ、且つ内器取付部材を取り外すだけでボディに取り付けた内器を操作することができる。
【００１５】
請求項５の発明は、請求項１又は請求項３又は請求項４のいずれかの発明において、ボディを前面が開放された箱状に形成し、ボディの前端部に内器取付部材をねじ止めするためのねじ止め部を内器取付部材に設けたことを特徴とする。
【００１６】
この発明によれば、内器を取り付けるためにボディの底面の面積を有効に利用することができる。
【００１７】
請求項６の発明は、請求項１の発明において、内器取付部材をボディの内器取付部に取り付けるための取付部を内器取付部材に設けたことを特徴とする。
【００１８】
この発明によれば、内器取付部材を取り付けるための構造をボディに別途設ける必要がない。
【００１９】
請求項７の発明は、請求項６の発明において、取付部はボディの内器取付部に対して内器と同時に取り付け可能としてあることを特徴とする。
【００２０】
この発明によれば、内器取付部材を内器取付部に取り付けながらも、内器取付部材を取り付けない場合と同数の内器をボディに取り付けることができる。
【００２１】
請求項８の発明は、請求項１又は請求項２又は請求項５乃至請求項７のいずれかの発明において、内器取付部材に、ボディの内器取付部に取り付けられた内器を前方に露出させる露出穴を貫設したことを特徴とする。
【００２２】
この発明によれば、露出穴を通じて内器の状態を確認することができるから、内器の状態を確認するために内器取付部材を取り外す必要がない。
【００２３】
請求項９の発明は、請求項１乃至請求項８のいずれかの発明において、内器取付部材が磁性体からなることを特徴とする。
【００２４】
この発明によれば、内器を内器取付部材に磁石を用いて取り付けることができる。
【００２５】
請求項１０の発明は、請求項１又は請求項３乃至請求項９のいずれかの発明において、内器取付部材をボディにねじ止めするためのねじが挿通される貫通穴を、ねじの頭部の外径よりも内径の大きな挿通部と、挿通部に連通してねじの頭部の外径よりも小さくねじの脚部の外径よりも大きい幅寸法に形成された保持部とからなるダルマ穴形状としたことを特徴とする。
【００２６】
この発明によれば、ねじを完全に取り外すことなく内器取付部材をボディから取り外すことができ、従って内器取付部材をボディにねじ止めするためのねじが挿通される貫通穴を円形とする場合に比べて内器取付部材の着脱が容易になる。
【００２７】
請求項１１の発明は、請求項１乃至請求項１０のいずれかの発明において、ボディの前方へ突出して内器が載置可能な板状の棚部をボディに設けたことを特徴とする。
【００２８】
この発明によれば、内器の取り付け及び取り外しの際は内器を棚部に載置することができるから、内器の取り付け及び取り外しの作業が容易になる。
【００２９】
請求項１２の発明は、請求項１１の発明において、棚部を内器が載置可能な開位置とボディの前方への突出寸法を開位置よりも小さくする閉位置との間で移動自在としたことを特徴とする。
【００３０】
この発明によれば、内器の取り付け及び取り外しを行わないときは棚部を閉位置に移動させることで、棚部が邪魔にならないようにすることができる。
【００３１】
請求項１３の発明は、請求項１乃至請求項１３のいずれかの発明において、ボディに結合して内器が収納される収納室をボディとの間に形成するカバーを備え、収納室内と外部とを連通させる通気穴をカバーとボディとの少なくとも一方に貫設したことを特徴とする。
【００３２】
この発明によれば、通気穴を設けない場合に比べて内器の空冷の効率を向上することができる。
【００３３】
【発明の実施の形態】
以下、本発明の実施の形態を図面に基づいて説明する。
【００３４】
（実施形態１）
本実施形態は、図２に示すように、前面が開放された箱状に形成されたボディ１と、ボディ１の前端に取り付けられた内器取付部材３とを備える。ボディ１の前側と内器取付部材３とには、図１に示すようにそれぞれ内器２ａ〜２ｃが取り付けられる。以下、上下左右は図１を基準として説明する。
【００３５】
ボディ１の前側には、後面が開放された箱状に形成されボディ１の前面を覆うカバー４が着脱自在に取り付けられる。カバー４とボディ１との間には、内器２ａ〜２ｃが収納される収納室が形成される。カバー４は、例えば後端部にボディ１の前端部が嵌合することによってボディ１に結合する。カバー４の上下の端部には、通気穴４１が前後に貫設されている。この構成により、内器２ａ〜２ｃの空冷の効率が向上している。
【００３６】
内器２ａ，２ｂの器体は、上下の幅寸法を略一定とし、左右の幅寸法を所定の単位寸法の整数倍（図中の内器２ａは１倍、内器２ｂは２倍）とすることによって寸法のモジュール化が図られている。寸法がモジュール化された内器２ａ，２ｂの器体は、箱状の本体部２１と、本体部２１の上下の面の後端部に突設された取付片２２とを備える。各取付片２２には、それぞれ取付穴２３が前後に貫設されている。
【００３７】
ボディ１は、矩形板状の背板１１と、背板１１の全周から前方へ突設された周壁１２とを備える。周壁１２の背板１１の前面からの突出寸法は、内器２ａ，２ｂの前後の幅寸法よりも大きく設定されている。背板１１の上下の端部には、それぞれ左右に長い長穴であって内器２ａ〜２ｃに接続される電線が挿通される電線挿通穴１３が左右に並べて前後に貫設されている。
【００３８】
背板１１の前面の下端部であって電線挿通穴１３の上側には、それぞれ先部が上方へ曲がった複数の鉤状片１４が、内器２ａ，２ｂの単位寸法程度の間隔を空けて左右に並べて前方へ突設されている。また、背板１１の上側の電線挿通穴１３の下側であって各鉤状片１４と上下に並ぶ位置と、各鉤状片１４の上側とには、それぞれ取付ねじ穴１５が設けられている。内器２ａ，２ｂは、下側の取付片２２が鉤状片１４に引掛けられ、各取付片２２の取付穴２３に挿通された図示しないねじがボディ１の取付ねじ穴１５に螺合することによってボディ１に取り付けられている。つまり、鉤状片１４と取付ねじ穴１５とが内器取付部となる。
【００３９】
背板１１の前面の左端部には、突台１６が前方へ突設されている。突台１６には、交流電源を必要とする内器２ａ〜２ｃと外部電源線とを接続するための図示しない電線接続端子装置が取り付けられる。
【００４０】
また、背板１１の上端部には、上下に長く下端部の幅寸法が上端部の幅寸法よりも大きいダルマ穴１８が前後に貫設され、背板１１の４隅付近には矩形状の貫通穴の上下の端に切り欠きを設けた形状の十字穴１９が前後に貫設されている。ボディ１は例えば、施工面に固定された金具がダルマ穴１８又は十字穴１９に引っ掛かることによって施工面に仮止めされ、ボディ１の背板１１を貫通して施工面に螺合する図示しないねじによって施工面に固定される。
【００４１】
内器取付部材３は、例えば薄い鉄の板を曲げ形成することにより設けられ、矩形状の主部３１と、主部３１の四隅付近からそれぞれ上下に延設され先部が後方へ曲げられた脚部３２と、脚部３２の先端から上下方向のうち前方から見て脚部３２に重ならない向きに延設された取付部３３とを備える。ここで、ボディ１の周壁１２の内周面の前端部には、それぞれねじ穴が設けられた図示しないねじ止め片が突設されている。内器取付部材３の取付部３３には、図３に示すようにねじ止め片のねじ穴に螺合して内器取付部材３をボディ１にねじ止めするねじを挿通するための貫通穴３４が貫設されている。つまり、取付部３３はねじ止め部でもある。
【００４２】
貫通穴３４は、ねじの頭部の外径よりも内径の大きな挿通部３４ａと、挿通部３４ａに連通して右方へ延び上下の幅寸法がねじの頭部の外径よりも小さく且つねじの脚部の外径よりも大きく形成された保持部３４ｂとからなるダルマ穴形状に形成されている。内器取付部材３を取り外す際は、貫通穴３４を貫通したねじを緩めてから内器取付部材３を左へスライドさせれば、ねじの頭部を貫通穴３４の挿通部３４ａに通して内器取付部材３を取り外すことができる。内器取付部材３を取り付ける際は、ねじの頭部を貫通穴３４の挿通部３４ａに通してから右へスライドさせ、その後ねじを締めれば内器取付部材３を固定することができる。内器取付部材３がボディ１の前端部にねじ止めされるから、ボディ１に取り付けられる内器２ａ，２ｂに内器取付部材３が干渉することがなく、内器２ａ，２ｂを取り付けるためにボディ１の背板１１の前面の面積を有効に利用することができる。また、ねじを完全には取り外すことなく内器取付部材３をボディ１に着脱することができるから、内器取付部材３の着脱が容易になっている。
【００４３】
内器取付部材３の主部３１の上下の端部には、それぞれ寸法がモジュール化された内器２ａ，２ｂをねじ止めするための複数の貫通穴３５が左右に並べて貫設されていて、ボディに取り付けられた内器２ａ，２ｂの前側にさらに内器２ａ，２ｂを取り付けることができるようになっている。また、主部２ａには、図２に示すように、ボディ１の内器取付部に対応していない形状の内器２ｃをねじ止めするための複数個（図では３個）の貫通穴３６が設けられている。さらに、内器取付部材３が磁性体である鉄からなることにより、例えば磁石が取り付けられた内器２ｃを内器取付部材３に磁着することもできる。
【００４４】
また、内器取付部材３の主部３１の右端部には、上下に長い矩形状の露出穴３７が貫設されている。露出穴３７の位置はボディ１に取り付けられた１個の内器２ｂの位置に対応しており、図４に示すように露出穴３７を通じて内器２ｂが内器取付部材３の前方に露出するようになっている。例えば内器２ｂが有するＬＥＤの点灯状況や、内器２ｂへの電線の接続状況などが露出穴３７を通して前方から視認できるのであり、上記のような内器２ｂの状態を確認するために内器取付部材３を取り外す必要がない。
【００４５】
さらに、内器取付部材３の主部３１の左端には、突台１６に取り付けられる電線接続端子装置を前方に露出させるための切り欠き３８が設けられている。
【００４６】
上記構成によれば、施工面に沿った幅寸法を増大させることなく、取り付けることのできる内器２ａ〜２ｃの個数を増やすことができる。また、従来は内器取付部が対応していない形状の内器２ｃを取り付けるために、図１４に示すアタッチメントＡを用いる必要があったが、本実施形態においては、内器取付部材３の形状を適宜選択することによって、ボディ１の内器取付部が対応していない形状の内器２ｃを取り付けることができる。
【００４７】
（実施形態２）
本実施形態のボディ１と内器取付部材５とは、図５に示すようにそれぞれ前方が開放された箱状に形成されている。ボディ１の形状は、内器取付部材３をねじ止めするためのねじ止め片が設けられていない点を除いて実施形態１と同様であるので、対応する構成に同じ符号を付して説明を省略する。内器取付部材５の形状はボディ１の形状と同様の形状に形成されていて、ボディ１の電線挿通穴１３と鉤状片１４と取付ねじ穴１５とに対応して電線挿通穴５３と鉤状片５４と取付ねじ穴５５とが設けられている。内器取付部材５の前後方向の中間部の外周面には、前側を後側よりも上下左右に突出させる段部５ａが全周に亙って設けられている。そして、内器取付部材５の後端部の外周はボディ１の前端部の内周よりも僅かに小さい寸法形状に形成されており、内器取付部材５の後端部がボディの前端部に嵌合することによって、図６に示すように内器取付部材５とボディ１とは結合している。また、内器取付部材５の前端部の内周は後端部の外周よりも僅かに大きな寸法形状に形成されており、内器取付部材５の前端部は、同じ形状の別の内器取付部材５の後端部に嵌合可能となっている。さらに、内器取付部材５の前端部には、実施形態１と同様のカバー４が結合する。
【００４８】
上記構成によれば、内器取付部材５を追加することによって容易に内器２ａ〜２ｃを増設することができる。さらに、ボディ１と内器取付部材５とを同じ形状とすれば、金型を共用化して製造コストを低減することができる。
【００４９】
（実施形態３）
本実施形態の基本構成は実施形態１と同様であるので、共通する部分については同じ符号を付して説明を省略し、異なる部分についてのみ説明する。
【００５０】
本実施形態は、内器取付部材３を設ける代わりに、図７に示すようにカバー４の後面に内器２ｃを取り付けたことを特徴とする。つまり、カバー４が内器取付部材として機能する。内器２ｃをカバー４に取り付けるには、例えば両面テープを用いて貼着したり、カバー４に鉄板を取り付けて磁石が取り付けられた内器２ｃを磁着する。その他の構成は実施形態１と同様である。なお、図７では通気穴４１は省略してある。
【００５１】
上記構成によれば、実施形態１のような内器取付部材を別途設ける必要がない。また、カバー４を取り外すだけで、ボディ１に取り付けられた内器２ａ，２ｂを操作することができる。
【００５２】
なお、図８に示すようにカバー４の前面に内器２ｃを取り付ける構成としてもよい。
【００５３】
（実施形態４）
本実施形態の基本構成は実施形態１と同様であるので、共通する部分については同じ符号を付して説明を省略し、異なる部分についてのみ説明する。
【００５４】
本実施形態は、図９に示すように、内器取付部材６がボディ１の内器取付部に取り付けられることを特徴とする。具体的には、内器取付部材６は例えば薄い鉄の板を曲げ形成することにより設けられ、矩形状の主部６１と、主部６１の四隅付近からそれぞれ上下に延設され先部が後方へ曲げられた脚部６２と、脚部６２の先端から上下方向のうち前方から見て脚部６２に重ならない向きに延設された取付部６３とを備える。取付部６３には、ボディ１の内器取付部である取付ねじ穴１５に内器取付部材６をねじ止めするための貫通穴６４が前後に貫設されている。内器取付部材６は、下側の取付部６３がボディ１の鉤状片１４に引掛け保持され、上側の取付部６３がボディ１にねじ止めされることによってボディ１に取り付けられる。ここで、内器取付部材６の取付部６３の厚み寸法は、ボディ１に取り付けられた内器２ａ，２ｂの下側の取付片２２と鉤状片１４の先部との間に挿入可能な程度に薄く形成されている。従って、鉤状片１４に内器取付部材６の下側の取付部６３と内器２ａ，２ｂの下側の取付片２２とを同時に引掛け、内器取付部材６の上側の貫通穴６４と内器２ａ，２ｂの上側の取付穴２３とを貫通したねじをボディ１の上側の取付ねじ穴１５に螺合させることにより、図１０に示すように、内器取付部材６と内器２ａ，２ｂとを同じ箇所に取り付けることもできる。
【００５５】
また、主部６１の上下の端であって脚部６２に連続する部位に挟まれた位置からは、突片６５が上下に延設されている。下側の突片６５には、ボディの鉤状片１４と同様の形状であって内器２ａ，２ｂの下側の取付片２２を引掛け保持するための複数個（図では４個）の鉤状片６６が前方へ突設されている。また、上側の突片６５には、各鉤状片６６と上下に並ぶ位置にそれぞれ内器２ａ，２ｂの上側の取付片２２をねじ止めするための貫通穴６７が前後に貫設されている。
【００５６】
上記構成によれば、実施形態１のねじ止め片のような内器取付部材６を取り付けるための構造をボディ１に別途設ける必要がなく、かつ内器取付部材６を取り付けない場合と同数の内器２ａ，２ｂをボディ１に取り付けることができる。
【００５７】
なお、実施形態１乃至実施形態４において、図１１に示すようにボディ１の前方へ突出する板状の棚部１７をボディ１の下端部に設けてもよい。この構成によれば、内器２ａ〜２ｃの取り付け及び取り外しの際は内器２ａ〜２ｃを棚部に載置することができるから、内器２ａ〜２ｃの取り付け及び取り外しの作業が容易になる。
【００５８】
さらに、例えば棚部１７と周壁１２とをヒンジを介して接続することによって、棚部１７を図１１に示すように内器２ａ〜２ｃが載置可能な開位置と、図１２に示すようにボディ１の前方への突出寸法を開位置よりも小さくする閉位置との間で回動自在としてもよい。この構成によれば、内器２ａ〜２ｃの取り付け及び取り外しを行わないときは図１２に矢印で示すように棚部１７を閉位置に回動させることで、棚部１７が邪魔にならないようにすることができる。
【００５９】
【発明の効果】
以上説明したように、本発明では、ボディの前方に位置し前方から見てボディの内器取付部に取り付けられた内器と重なる位置に内器を取付可能な内器取付部材を備えるので、施工面に沿った幅寸法を増大させることなく、取り付けることのできる内器の個数を増やすことができる。また、内器取付部材を適宜選択することによって、ボディの内器取付部が対応していない形状の内器を取り付けることができる。
【図面の簡単な説明】
【図１】本発明の実施形態１を示す分解斜視図である。
【図２】同上を示す内器を含まない分解斜視図である。
【図３】同上に用いられる内器取付部材の要部を示す斜視図である。
【図４】同上を示すカバーを含まない正面図である。
【図５】本発明の実施形態２を示す分解斜視図である。
【図６】同上において内器取付部材とボディとを結合した状態を示す斜視図である。
【図７】本発明の実施形態３においてカバーとボディとを分離させた状態を示す斜視図である。
【図８】同上の別の形態を示す分解斜視図である。
【図９】本発明の実施形態４を示す斜視図である。
【図１０】同上においてボディの内器取付部に内器と内器取付部材とを同時に取り付けた状態を示す斜視図である。
【図１１】同上の別の形態を示す斜視図である。
【図１２】同上の別の形態において棚部を閉位置に移動させた状態を示す斜視図である。
【図１３】従来例を示す斜視図である。
【符号の説明】
１  ボディ
２ａ〜２ｃ  内器
３，５，６  内器取付部材
４  カバー
１４  鉤状片
１５  取付ねじ穴
３３  取付部
３４  貫通穴
３７  露出穴
４１  通気穴
６３  取付部
【図１】
2004327860.tif 000003
【図２】
2004327860.tif 000004
【図３】
2004327860.tif 000005
【図４】
2004327860.tif 000006
【図５】
2004327860.tif 000007
【図６】
2004327860.tif 000008
【図７】
2004327860.tif 000009
【図８】
2004327860.tif 000010
【図９】
2004327860.tif 000011
【図１０】
2004327860.tif 000012
【図１１】
2004327860.tif 000013
【図１２】
2004327860.tif 000014
【図１３】
2004327860.tif 000015